(57)【特許請求の範囲】
【請求項１】
サンダルであって、ミッドソールを成すソール（１）が設けられており、該ソール（１）に、当該サンダルのアッパバンドのストラップ（３）が、ソール（１）に内側で結合されたインソール（４）にわたって固定されており、側方の左右でストラップ（３）に、引き上げられたそれぞれ１つの外側のソール縁部（２）が当て付けられており、該ソール縁部（２）の間にフットベッド部が当て付けられている形式のものにおいて、
フットベッド部が、ソール（１）に加工成形されていて、フットベッドから成っており、該フットベッドを側方で完全に取り囲む上方へ延びるソール縁部（２）が設けられており、
インソール（４）としてソール（１）上に、露出した薄いカバーソールが固定されており、
インソール（４）が、ソール（１）のソール縁部（２）と、ソール（１）のフットベッドとを越えて側方の左右でのみ上方に自由に突出する縁部領域（５）を有しており、
該縁部領域（５）が、ストラップ（３）のための側方の外側の固定区分を形成しており、ソール（１）の外側に、当該サンダルのストラップ（３）の端部のための凹設部の形の固定箇所が設けられており、
ストラップ（３）の端部が、それぞれソール（１）の凹設部内にまで案内されており、
ストラップ（３）が、縁部領域（５）の固定区分に接着されている
ことを特徴とする、サンダル。
【請求項２】
ストラップ（３）が、インソール（４）の、引き上げられた縁部領域（５）に外側から接着されている、請求項１記載のサンダル。
【請求項３】
ストラップ（３）が、ソール（１）の、側方で引き上げられたソール縁部（２）と、インソール（４）の縁部領域（５）との間で終わっている、請求項１または２記載のサンダル。
【請求項４】
ソール縁部（２）が、ストラップ（３）の外側にリップ（６）でストラップ（３）にわたって係合している、請求項１から３までのいずれか１項記載のサンダル。
【請求項５】
インソール（４）の側方の縁部領域（５）が、アッパバンドもしくはストラップ（３）の側方の部分の全長にわたって延びている、請求項１から４までのいずれか１項記載のサンダル。
【請求項６】
インソール（４）の側方の縁部領域（５）が、ソール（１）のソール縁部（２）を越えて２．５ｃｍだけ突出している、請求項１から５までのいずれか１項記載のサンダル。
【請求項７】
フットベッドを備えて形成されたソールが、足の母指球部分に向かって減少していく高さを有していて、足の解剖学的構造に適合された形でソール縁部（２）の上縁部と共に外方に延びている、請求項１から６までのいずれか１項記載のサンダル。
【請求項８】
インソールが、薄い革製ソールから成っている、請求項１から７までのいずれか１項記載のサンダル。
【請求項９】
ソール（１）が、弾性的なプラスチック材料または弾性的な複合材料から製作されている、請求項１から８までのいずれか１項記載のサンダル。
【請求項１０】
ソール（１）であって、インソールが設けられており、当該ソール（１）とインソールとが、引き上げられた外側のソール縁部（２）を有しており、該ソール縁部（２）の間で上面にフットベッド部が形成されている形式のものにおいて、
フットベッド部が、当該ソール（１）に加工成形されていて、フットベッドから成っており、該フットベッドを側方で完全に取り囲む上方に延びるソール縁部（２）が設けられており、
インソール（４）として当該ソール（１）上に、露出したカバーソールが固定されており、
インソール（４）が、当該ソール（１）のソール縁部（２）と、当該ソール（１）のフットベッドとを越えて側方の左右でのみ上方に自由に突出する縁部領域（５）を有しており、
該縁部領域（５）が、ストラップ（３）のための側方の外側の固定区分を形成しており、
当該ソール（１）の外側に、サンダルのストラップ（３）の端部のための凹設部の形の固定箇所が設けられている
ことを特徴とする、ソール。
【請求項１１】
インソールが、薄い革製ソールから成っている、請求項１０記載のソール。
【請求項１２】
ストラップ（３）のための固定箇所（６）として、ソール縁部（２）の外側のリップ（６）が設けられている、請求項１０または１１記載のソール。
【請求項１３】
インソール（４）の側方の縁部領域（５）が、２．５ｃｍだけ突出している、請求項１２記載のソール。
【請求項１４】
当該ソール（１）が、足の母指球部分に向かって減少していく高さを有していて、足の側方の解剖学的構造に適合された形でソール縁部（２）の上縁部と共に外方に延びている、請求項１０から１３のまでのいずれか１項記載のソール。
【請求項１５】
当該ソールが、弾性的なプラスチック材料または弾性的な複合材料から製作されている、請求項１０から１４までのいずれか１項記載のソール。
【請求項１６】
当該ソールが、弾性的なポリウレタンまたは天然ラテックス／コルク混合物の形の弾性的な複合材料から製作されている、請求項１５記載のソール。
【請求項１７】
当該ソールが、同時にアウトソールを成している、請求項１０から１６までのいずれか１項記載のソール。
【発明の詳細な説明】
【０００１】
背景技術
本発明は、サンダルであって、特にミッドソールを成すソールが設けられており、該ソールにストラップが、インソールにわたって固定されており、該インソールが、ソールに内側で結合されており、少なくとも側方の左右でストラップに接触したソール縁部が設けられており、該ソール縁部の間にフットベッド部が設けられている形式のものに関する。さらに、本発明は、このような形式のソールであって、インソールが設けられている形式のものに関する。
このような形式のサンダルは、以前から一般的に普及しているので公知である。通常、ストラップとソールとの結合は、ストラップがソールに接着されるかまたは縫合されることによって行われる。このためには、しばしばストラップが、折り曲げられた端部領域で、ソールとこのソールに接着されたアウトソールとの間へ係合している。ソールが比較的厚い場合には、しばしばストラップは、ソールの側方の切欠き内に接着される。しばしばストラップの端部を、ソールの製造時に、使用したい型内へ導入することもでき、これによって、ストラップの端部はソール内へ埋め込まれる。
サンダルを履いて移動する場合には、足がソールに支持されていて、比較的高い力がストラップに伝えられるので、ストラップがソールから解離される危険がある。このことは、ストラップがソールの下側にまで案内されておらず、側方からしかソールに接着されていないような安価なサンダルに特に当てはまる。
すでにドイツ連邦共和国実用新案第３０４３７２５号明細書に記載されているフレキシブル・シューズ（Ｆｌｅｘｉｂｌｅ−Ｓｃｈｕｈ）では、ソールの内側にインソールが接着されている。このインソールは、外方へフランジ状に延びる縁部領域によって、引き上げられたソール縁部に上方から接着されている。この縁部領域は、シームによって靴のアッパと結合される。視覚的に、枠縫いされた靴のように見えるこのような靴は比較的頑丈である。なぜならば、アッパとインソールとの間のシームによって、この両方の靴構成部材が１つの構成単位を形成するからである。しかし、アッパとインソールとの、外方へ向けられた縁部の必要性がサンダルのためのデザインを損ねてしまう。さらに、シームは、必要となるシーム穴によって、ストラップとインソールの縁部との弱化部を形成するので、力が高い場合には、シーム穴はミシン目のように働き、これによって、ストラップが切り離されてしまう。
イギリス国特許第３０４３７２５号明細書の図２に基づき、ミッドソールとして働くソールを備えたサンダルが公知である。ミッドソールの下側にはアウトソールが配置されており、ミッドソールの上側にはインソールが配置されている。インソールは、それぞれ側方の縁部領域でより厚く形成されていて、ストラップが当て付けられる、引き上げられたソール縁部の内側の領域に、上方へ垂直に延びる単数または複数のフランジ区分を有している。ソール縁部には、外側に向かってそれぞれ１つの凹設部が設けられている。
サンダルのアッパバンドもしくはストラップの下側の区分は凹設部内へ挿入されて、たとえばフランジ区分に縫合される。この構造に基づき、インソールは硬質のポリウレタン材料から製造されるので、フランジ区分は上方へ直立不動に延びている。さらに、サンダルのベッド部は、ミッドソールによって形成されるのではなくて、より厚く形成されたインソールによって形成されるので、このインソールは、たとえば１ｍｍの厚さの、薄くかつ一般的に柔軟な革製のインソールとは比べものにならない。このインソールは、固定的にまたは緩く導入されるかまたは健康サンダルのための、深いシェル状のフットベッド部のカバーとして使用される。
【０００２】
発明の利点
本発明の課題は、冒頭で述べた形式のサンダルを改良して、サンダルのストラップがソールに、可能な限り廉価であるが同時に確実に結合されているようなサンダルを提供することである。
さらに、本発明の課題は、冒頭で述べた形式のソールを改良して、サンダルのストラップが廉価にかつ確実に取付け可能であるようなソールを提供することである。
この課題は本発明により、冒頭で述べた形式のサンダルにおいて、フットベッド部がソールに加工成形されていて、シェル状のフットベッドから成っており、該フットベッドを側方で完全に取り囲む上方へ延びるソール縁部が設けられており、ソール上に、インソールとしての、露出した薄いカバーソールが固定されており、インソールが、ソールのソール縁部と、ソールのフットベッドとを越えて側方の左右でのみ上方へ自由に突出する縁部領域を有しており、該縁部領域がそれぞれ、ストラップのための、側方の外側の固定区分を形成しているか、または同様にストラップの固定のために使用される、ソールから突出する外側の区分のための、側方の外側の固定区分を形成しており、ソールの外側に、サンダルのストラップの端部のための凹設部の形の固定箇所が設けられており、ストラップの端部がそれぞれ、ソールの凹設部内にまで案内されており、ストラップが、縁部領域の固定区分にまたは突出する区分に接着されていることによって解決される。
このようなサンダルは非常に軽量になっている。なぜならば、ソールが、ストラップとの結合箇所を越えて外方へ著しく突出している必要がないからである。ストラップは外側からインソールの縁部領域に接着されるので、縁部領域の十分な寸法設定によって、大きな力の伝搬に適した大きな接着面を形成することができ、これによって、サンダルは、見た目の悪い印象を与えなくなる。さらに、接着部は剪断力によってしか負荷されず、このことは、やはり接着部の保持可能性に役立っている。アッパとインソールとを結合するためにシームは不要となるので、シーム穴による弱化部は形成されなくなる。
サンダルは、フットベッドを備えたシェルソールとして形成されたソールが、側方で引き上げられて完全に取り囲むソール縁部を有しており、ストラップが、ソールのソール縁部と、インソールの縁部領域との間で終わっているので特に見栄えがよくなっている。
インソールの、突出する縁部領域に設けられた固定区分に対して付加的に、ソールには、露出した凹設部の形の固定箇所が設けられている。この固定箇所には、ストラップの端部が適当に案内可能である。
ストラップとソールとの間の継ぎ目箇所は、請求項４により、ソール縁部が、ストラップの外側にリップでもってストラップにわたって係合していると見えなくなる。
本発明によって、種々異なる別の構成が可能となる。特に、ソールから両側で突出する区分が付加的に設けられてよい。この区分は、インソールの、突出する区分の、固定区分として役立つ外側の面を補強している。
有利な構成では、請求項２により選択的に、サンダルのアッパバンドのストラップが、インソールの、ソールのソール縁部を越えて上方へ突出する縁部領域に直接に接着されているのではなく、同様にソール縁部を越えて上方へ突出する区分を有する、ソール縁部を起点として側方で延びる安定化層の外側に、ストラップのソール側の端部が接着されており、安定化層の内側に、インソールの、上方へ突出する縁部領域が接着されている。
請求項９により、安定化層は織布から成っていてよく、この織布はソール内に固定されている。
こうして、ソールに対するストラップの、特に頑丈な結合が獲得される。この場合、側方のアッパバンドは主として、フットベッドを備えたシェルソールとして形成されたソールの外側の上縁部で終わっていてよい。
請求項１により形成された、シェル状に形成されたフットベッドを備えたソールにおいては、足の解剖学的構造に模造された、足に適当な湾曲したフットベッドの形と、シェルソールの上縁部の、外側から見ることができる適当なガイドとが形成可能である。
請求項３および５により、ソールの上側のソール縁部に沿った上縁部に、外方へ開放する切欠きが設けられており、この切欠き内には、サンダルストラップのアッパバンドのソール側の端部の外側の縁部が位置するようになっている。
この場合、サンダルストラップの配置形式に基づき、ソールへの、たとえば繊維織布片から成る安定化層もしくはインソールの側方の縁部領域の移行部は、アッパバンドの、一貫して延びる部分の全長にわたって外側でカバーされている。
切欠きは、全長にわたって同じ高さで形成されていると共に、フットベッドを備えたシェルソールの形で形成されているソールの上縁部の湾曲したガイドに相応して形成されている。
側方のアッパバンドは切欠き内で突き合わされており、したがって、外縁部の、相応に湾曲したガイドで終わっている。
請求項６により、ストラップの材料厚さがソール側の端部に向かって減少しており、こうして、材料厚さにおける連続的な移行部が、特に、安定化層の、ストラップに側方で接着される区分と、インソールの、上方へ突出する区分との領域に形成されている。
したがって、サンダルを着用する場合に、ストラップの結合部における、邪魔で目立つ移行箇所は形成されなくなる。
請求項７により、ストラップとソール縁部との互いに向かい合って位置する端面は、同じ厚さに寸法設定されていて、互いに突き合わされている。この場合、両端面の外側は整合しており、したがって、この外側でも連続的な移行部が形成されている。
請求項８〜１２により、特にソールに対する安定化層の有利な構成と配置形式とが獲得される。
さらに、インソールの縁部領域と、安定化層もしくはこの安定化層を形成する繊維織布製の支持体の、外方へ自由に突出する側方の区分との適当な寸法設定が行われている。
フットベッドを備えたシェルソールとして形成されたソール自体はすでに下側に、サンダルのアウトソールを有している。この場合、アウトソールには耐摩性の、たとえば圧縮された材料領域が付与されていなければならない。
しかし、アウトソールは公知の形式で、別個の成形部分として接着されていてもよい。この場合、ソールは単にミッドソールを成しているにすぎない。この場合、このミッドソールは、たとえばクロロフルオロカーボン（ＦＣＫＷ）と溶剤とを含んでいないエチレンビニルアセテート（ＥＶＡ）混合物から成っている。請求項１３により、有利には革製のインソールの下側には、フットベッド部のための、目の粗いジュート織布のような従来慣用の張り材料もしくは帆布が設けられていてもよい。
さらに、本発明は、請求項１６により、特に請求項１〜１５に記載した形式のサンダルで使用するためのソールに関する。この場合、このソールはミッドソールとして形成されていてもよく、この場合、請求項２９により、アウトソールを付加的に装着することができる。
ソールと、該ソールに内側に配置されたインソールとが、引き上げられた外側のソール縁部を有しており、該ソール縁部の間で上面にフットベッド部が形成されている。この場合、フットベッド部がソールに加工成形されていて、シェル状のフットベッドから成っており、該フットベッドを側方で完全に取り囲む上方へ延びるソール縁部が設けられており、ソール上に、インソールとしての、露出したカバーソールが固定されており、インソールが、ソールのソール縁部と、ソールのフットベッドとを越えて側方の左右でのみ上方へ自由に突出する縁部領域を有しており、該縁部領域がそれぞれ、ストラップのための、側方の外側の固定区分を形成しているか、または同様にストラップの固定のために使用される、ソールから突出する外側の区分のための、側方の外側の固定区分を形成しており、ソールの外側に、サンダルのストラップの端部のための凹設部の形の固定箇所が設けられていることを特徴としている。
このソールの有利な構成は、後続の請求項１７〜２８に記載してある。この場合、主として冒頭で述べた形式の利点が獲得される。
【０００３】
実施例の説明
以下に、本発明の実施例を図面につき詳しく説明する。
図１に示したソール１、つまり靴底は、全周にわたって延びる、上方へ引き上げられた外側のソール縁部２を有している。このソール縁部２は外側に、少なくともストラップ３の領域にリップ６を有している。このリップ６は、ストラップ３に外側から接触している。
インソール４、つまり中底は上方からソール１に接着されていて、上方へ向けられた縁部領域５を有している。この縁部領域５には外側から、ストラップ３のソール側の端部が接着されている。上方へ突出するリップ６によって、ストラップ３の下端部と、ソール１との間の継ぎ目箇所がカバーされる。
図２，図３および図４には、サンダルの有利な変化実施例が示してある。このサンダルのソール９，１０は、フットベッド１４を備えたシェルソールとして形成されている。このフットベッド１４は、全高さにわたって外方から十分に見ることができる。この場合、フットベッド１４は、足の解剖学的構造に基づき足に適当に形成されていて、特に母指球部分に向かって先細りされている。上縁部は、湾曲した形で外側で延びている。
図２から分かるように、ソール９，１０は２つの区分９，１０から成っており、両区分９，１０の間には、安定化層７が織布層の形で挿入されている。
この安定化層７は両側に、上方へ突出する外側の区分１２を有している。この区分１２は、ソール９，１０の、引き上げられたソール縁部１１に対して、このソール縁部１１から内側で進出している。
区分１２の外側の部分には、一方の側に、インソール１５の、ソール９，１０の縁部を越えて上方へ突出する縁部領域１６が接着されており、他方の側に、サンダルのアッパバンド（Ｏｂｅｒｍａｔｅｒｉａｌ−Ｂａｎｄａｇｅ）によって形成されたストラップ８のソール側の端部が接着されている。
ストラップ８のソール側の端部の厚さは、安定化層７の外側の区分１２と、インソール１５の、突出する縁部領域１６との厚さに相応して、外側の端面１２の方向へ先細りされている。
この場合、ストラップ８の端面１７と、引き上げられたソール縁部１１の端面１８との継ぎ目箇所は内側からカバーされる。この場合、ストラップ８の厚さは、所定の幅で下方へ拡張するソール９，１０へもしくはソール縁部１１へ連続的に移行するようになっている。
ストラップ８の端面１７と、引き上げられたソール縁部１１の端面１８とは同じ厚さに設定されていて、突き合わされている。
図３から分かるように、ストラップ８を付加的に保持するために、ソール９，１０の上側のソール縁部１１に沿って、外方へ開放する長手方向切欠き１３が設計されている。この長手方向切欠き１３は、ストラップ８のソール側の端部の厚さに相当する深さを有している。
この長手方向切欠き１３は、上側のソール縁部１１に沿って均一な高さで案内されているので、長手方向切欠き１３だけでなくストラップ８のソール側の端部も、外側から見ることができる、足の解剖学的構造に基づき足に適当に湾曲した形で案内されている。この形は、シェルソール９，１０のフットベッド１４の形状付与に対応している。
シェルソール９，１０はポリウレタン材料から一体に成形されていてよい。この場合、安定化層７が、ソールの製造時にプレス型内でポリウレタン材料に導入されて、材料の発泡時にこの材料内に埋め込まれている。
しかし、ポリウレタン材料の代わりにソールは、高いコルク成分を有するコルク・ラテックス複合材料から製造されてもよく、これによって、ソールは軽量にかつフレキシブルになる。
インソール１５もやはりソール９，１０もしくはこのソール９，１０のフットベッド１４に接着されている。この場合、インソール１５の、上方へ向けられた縁部領域１６も同様に、織布から成る安定化層７の外側の区分１２に接着されている。
この場合、一般的に０．７〜１ｍｍの厚さで革から製造されるインソール１５は、安定化層７によって外側の縁部領域１６で安定化される。この場合、特に、ソール９，１０の、安定化層７に外側から接着された引き上げられたソール縁部１１と、ストラップ８の、ソール縁部１１に当て付けられたもしくは挿入されたソール側の端部との結合の補強も獲得される。
図４には、解剖学的構造上の外側のフットベッド１４を備えた、シェル状成形体として形成されたソール９，１０の平面図が示してある。この場合、前方の部分、つまり爪先の部分には、足指を支承するための切欠き１９と、足指拡開体（Ｚｅｈｅｎｓｐｒｅｉｚｅｒ）２０とが形成されている。また、ほぼ中央で上方へ延びる、圧子（Ｐｅｌｏｔｔｅ）を備えた横方向湾曲支持部２１と、かかとのための切欠き２２と、外側の長手方向湾曲支持部２３とを見ることができる。
フットベッド１４上には、革製のインソール１５が接着されている。この場合、側方でフットベッド１４を越えて上方へ突出する縁部領域１６は、フットベッド１４の約２／３の長さにわたって延びている。
この自由縁部領域１６は約２．５ｃｍの幅を有していて、サンダルアッパバンドを成すストラップ８のソール側の端部のそれぞれ側方で延びている。
インソール１５の縁部領域１６の下側には、外側の区分１２を備えた安定化層７がそれぞれ側方で左右に延びている。この安定化層７は繊維織布として、ソールの部分９，１０内に、図２に示したように外方へ自由に延びる区分１２にまで挿入されている。
【図面の簡単な説明】
【図１】  第１のサンダルの縁部領域の横断面図であって、サンダルのソールと、ストラップと、サンダルの、それぞれ側方で突出する外側の縁部を備えた、内側に位置するインソールとが示してあるが、ただし、左側の外側領域しか示していない。
【図２】  サンダルの有利な変化形を示す図であって、縁部領域が横断面図で示してある。
【図３】  図２に示したサンダルの側面図であって、サンダルのソールが、フットベッドを備えた湾曲したシェルソールとして形成されていて、ストラップが広幅のアッパバンドとして形成されているにもかかわらず、側方で外方から全長にわたって見ることができる。
【図４】  図２および図３に示したサンダルの平面図であって、アッパバンドの側方の外側の区分と、この区分をそれぞれソール側の端部に対して重畳する、インソールの外側の縁部領域とを備えたシェル状のフットベッドが示してあり、縁部領域の下側に、安定させる織布層が位置している。
【符号の説明】
１  ソール、２  ソール縁部、３  ストラップ、４  インソール、５  縁部領域、６  リップ、７  安定化層、８  ストラップ、９，１０  ソール、１１  ソール縁部、１２  区分、１３  切欠き、１４  フットベッド、１５  インソール、１６  縁部領域、１７，１８  端面、１９  切欠き、２０  足指拡開体、２１  横方向湾曲支持部、２２  切欠き、２３  長手方向湾曲支持部
【図１】
0004308429.tif 000002
【図２】
0004308429.tif 000003
【図３】
0004308429.tif 000004
【図４】
0004308429.tif 000005